(57)【要約】【課題】プランジャにおける全伸び出し位置から全引き込み位置までの全ストロークにおいて、移動を妨げる要素を排除し、吸引力を有効に利用する。【解決手段】貫通孔３０の内周面と、プランジャ２６の外形と、をそれぞれ同一の径寸法の変化量となるテーパ形状として、プランジャ２６の全引き込み位置で互いの径寸法が一致するようにしたため、コイル部２８への通電でプランジャ２６が引き込まれるとき、全引き込み位置の若干手前で吸引力の弱い位置での移動抵抗力がほとんどなく、円滑に全引き込み位置まで移動し、強い吸引力で保持することができる。【選択図】　　　　図４
2004024316.tif 000002
【特許請求の範囲】
【請求項１】
遊技機の可動部材の駆動源として適用されるソレノイドであって、
筒体の外周に通電するための電線を巻回して形成されたコイル部と、
前記コイル部の内周側に形成された貫通孔の一端開口部に固定配置され、前記コイル部への通電によって磁力を持つ固定鉄芯部と、
前記コイル部の貫通孔の他端開口部から挿入され、前記コイル部への通電、非通電によって、前記固定鉄芯部へ磁着、磁着解除することで、前記貫通孔の軸線方向へ移動可能なプランジャ部とを有し、
前記貫通孔内に収容されるプランジャの外形をテーパ形状とし、かつ前記貫通孔の内周面をプランジャのテーパ形状に対応して、テーパ形状としたことを特徴とする遊技機用ソレノイド。
【請求項２】
遊技機の可動部材の駆動源として適用されるソレノイドであって、
筒体の外周に通電するための電線を巻回して形成されたコイル部と、
前記コイル部の内周側に形成された貫通孔の一端開口部に固定配置され、前記コイル部への通電によって磁力を持つ固定鉄芯部と、
前記コイル部の貫通孔の他端開口部から挿入され、前記コイル部への通電、非通電によって、前記固定鉄芯部へ磁着、磁着解除することで、前記貫通孔の軸線方向へ移動可能なプランジャ部とを有し、
前記プランジャの引き込み側先端部に、前記固定鉄芯部に形成されたテーパ状凹陥部に緊密に収容するようにテーパ形状部を形成し、前記貫通孔の内周面に形成された前記プランジャの全引き込み時に、前記プランジャのテーパ形状部が前記凹陥部に誘い込まれるように、凹陥部の面一となる案内突起部を形成したことを特徴とする遊技機用ソレノイド。
【発明の詳細な説明】
【０００１】
【発明の属する技術分野】
【０００２】
【従来の技術】
本発明は、遊技機の可動部材の駆動源として適用される遊技機用ソレノイドに関する。
【０００３】
【発明が解決しようとする課題】
遊技機、特にパチンコ機の遊技盤上には、可動部材が備わっている。この可動部材の駆動源としては、ソレノイドが多用される。例えば、特別図柄始動入賞口には、電動チューリップが設けられており、普通図柄の抽選結果によって開閉する。
【０００４】
このような電動チューリップでは、ソレノイドのプランジャの往復移動を回転移動に変換し、当該回転によってスイングするアームを介してチューリップを開閉する構造となっている。
【０００５】
なお、パチンコ機においては、１種のアタッカ（大入賞口）や、２種の羽根部材等も、駆動源としてソレノイドが適用された同様の構造となっている。
【０００６】
上記パチンコ機において、可動部材の駆動源として適用されるソレノイドは、一般的な使い方とは若干異なり、プランジャの芯ずれが起きると、通電による引き込み時にプランジャの引き込み方向側端部の外周面と、固定鉄芯部の内周面に形成されたテーパ状の凹陥部の開口周端とが噛み合って、完全なストロークの手前で止まってしまう。一般的な使用形態の場合、この程度のストローク差は誤差の範囲として許容されるが、パチンコ機の場合、電動チューリップではパチンコ球が入りずらく、アタッカでは、パチンコ機の遊技盤面を保護するガラス板との間の間隔が大きくなって球噛みが発生する。
【０００７】
図７に４種類のプランジャの引き込み側先端部の形状における、ストローク−吸引力特性を示す。
【０００８】
全引き込み状態（ストローク＝０）での吸引力は、いずれのプランジャ形状においても十分な強さを持っており、特に円柱状のプランジャ▲１▼が最も強いことがわかる。
【０００９】
このストロークが０の状態から、若干手前の伸び出し位置では、いずれのプランジャにおいても急激に吸引力が落ちる。このため、この若干の伸び出し位置で噛み込みが発生した場合、完全に引き込むための力が不足してしまう。特にプランジャ▲１▼が急激に吸引力が落ち込んでおり、他のプランジャ▲２▼〜▲４▼はプランジャ▲１▼よりも吸引力の低下が緩和しているが、吸引力の低下が起きていることには変わりがない。
【００１０】
本発明は上記事実を考慮し、プランジャにおける全伸び出し位置から全引き込み位置までの全ストロークにおいて、移動を妨げる要素を排除し、吸引力を有効に利用することができる遊技機用ソレノイド得ることが目的である。
【００１１】
【課題を解決するための手段】
請求項１に記載の発明は、遊技機の可動部材の駆動源として適用されるソレノイドであって、筒体の外周に通電するための電線を巻回して形成されたコイル部と、前記コイル部の内周側に形成された貫通孔の一端開口部に固定配置され、前記コイル部への通電によって磁力を持つ固定鉄芯部と、前記コイル部の貫通孔の他端開口部から挿入され、前記コイル部への通電、非通電によって、前記固定鉄芯部へ磁着、磁着解除することで、前記貫通孔の軸線方向へ移動可能なプランジャ部とを有し、前記貫通孔内に収容されるプランジャの外形をテーパ形状とし、かつ前記貫通孔の内周面をプランジャのテーパ形状に対応して、テーパ形状としたことを特徴としている。
【００１２】
請求項１に記載の発明によれば、プランジャが収容されるコイル部の貫通孔の内周面をテーパ形状とし、かつプランジャの外形をテーパ形状としたため、プランジャが引き込まれるとき（例えば、コイル部への通電による固定鉄芯部の磁力発生時）、プランジャの移動を妨げる角部等が存在せず、プランジャとコイル部の貫通孔又は固定鉄芯部との噛み込みがなくなり、円滑なストロークを実現することができる。
【００１３】
請求項２に記載の発明は、遊技機の可動部材の駆動源として適用されるソレノイドであって、筒体の外周に通電するための電線を巻回して形成されたコイル部と、前記コイル部の内周側に形成された貫通孔の一端開口部に固定配置され、前記コイル部への通電によって磁力を持つ固定鉄芯部と、前記コイル部の貫通孔の他端開口部から挿入され、前記コイル部への通電、非通電によって、前記固定鉄芯部へ磁着、磁着解除することで、前記貫通孔の軸線方向へ移動可能なプランジャ部とを有し、前記プランジャの引き込み側先端部に、前記固定鉄芯部に形成されたテーパ状凹陥部に緊密に収容するようにテーパ形状部を形成し、前記貫通孔の内周面に形成された前記プランジャの全引き込み時に、前記プランジャのテーパ形状部が前記凹陥部に誘い込まれるように、凹陥部の面一となる案内突起部を形成したことを特徴としている。
【００１４】
請求項２に記載の発明によれば、従来のコイル部の形状（貫通孔の一定の内径）、従来のプランジャの形状（一定の外径）、従来のコイル鉄芯部の形状のままで、プランジャが噛み込みを起こすような角部の実質的な存在をなくすべく、貫通孔の内周面からコイル鉄芯部の凹陥部に誘い込むための、案内突起部を形成する。これにより、プランジャの引き込み方向先端が貫通孔の内周面に案内されている状態からコイル鉄芯部の凹陥部に案内されるまでの案内面を面一とすることができ、プランジャの移動が円滑となる。
【００１５】
【発明の実施の形態】
（第１の実施の形態）
「パチンコ機の概略構成」
図１には、第１の実施の形態に係るパチンコ機１１０が示されている。このパチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００１６】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００１７】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４に向かって左右対称の位置には、４個の風車１１８Ａ乃至Ｄが取り付けられており、パチンコ球を予期しない方向へ方向転換させるようになっている。
【００１８】
さらに、ゲージ部１１４には複数の位置に入賞口１２０が設けられ、この入賞口１２０にパチンコ球が入ることにより、所定数のパチンコ球が遊技者に払い出されるようになっている。
【００１９】
このようなゲージ部１１４は、ほぼ左右対称系とされており、この中央部には電動役物ユニット１２２が配置され、その表示部１２４が露出されている。この表示部１２４の下方には電動役物ユニット１２２を始動するための特別図柄始動入賞口１２６が設けられている。
【００２０】
特別図柄始動入賞口１２６のさらに下方には、大入賞口１２８が配置され、この大入賞口１２８を開閉する開閉部材１２９は、前記電動役物ユニット１２２での所謂当りの表示状態で所定時間の開放が所定回数繰り返され、大量のパチンコ球を入賞させることができる構成となっている。
【００２１】
また、前記電動役物ユニット１２２の上部には、横１列に４個の保留ランプ２００が配列されている。この保留ランプ２００は、特別図柄始動入賞口１２６に入賞したパチンコ球が最大４球分保留されていることを点灯状態で報知するものであり、電動役物ユニット１２２による抽選結果の案内が終了した時点で、保留された分が消化されて消灯するようになっている。
【００２２】
また、ゲージ部１１４には、普通図柄始動入賞口１３０が設けられており、普通図柄始動入賞口１３０にパチンコ球が入賞すると、普通図柄表示部の表示が変動し、所定当り数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００２３】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００２４】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００２５】
「電動チューリップの駆動機構」
前記遊技盤１１１上の特別図柄始動入賞口１２６に設けられた電動チューリップ１３４を開閉するための駆動機構１０について説明する。
【００２６】
図３に示される如く、電動チューリップ１３４は、一対の花びら形状のフラップ１２が互いに対向するように配置されており、それぞれのフラップ１２は、独立した駆動機構１０によって所定角度の範囲で回転するようになっている。このため、ここでは、一方のフラップ１２の駆動機構１０について説明する。
【００２７】
フラップ１２は、拡幅された下部に回転軸１４が挿入されている。回転軸１４は図示しない電動チューリップを被覆する合成樹脂製の装飾部材に固定されている。これにより、フラップ１２はこの回転軸１４を中心に回転するようになっている。
【００２８】
回転軸１４の近傍には、円孔１６が形成されている。この円孔１６には、連結軸１７の一端が挿嵌されている。この連結軸１７の他端部は、アーム１８に形成された略コ字型の切欠部２０に挿通されている。
【００２９】
アーム１８は、前記フラップ１２の回転中心となる回転軸１４の軸線方向における遊技盤１１１の裏面側へ延長されている。このアーム１８の延長方向、すなわち遊技盤１１１の裏面側では、略Ｌ字形に屈曲され、屈曲部１８Ａが形成されている。この屈曲部１８Ａが形成された角部には、回転軸２２が挿入されている。これにより、アーム１８は回転軸２２を中心に回転可能となる．
また、屈曲部１８Ａには縦方向の長孔１８Ｂが形成されている。この長孔１８Ｂには、アーム１８を前記回転軸２２を中心に回転させる駆動源であるソレノイド２４のプランジャ２６に取り付けられ，互いに同軸とされた一対のピン２７の一方が挿入されている。ピン２７は、プランジャ２６の軸線に対して直角に取り付けられている。ピン２７の他方は、他方のフラップのアーム（図示省略）に形成された長孔に挿入されている。
【００３０】
ソレノイド２４は通電によってプランジャ２６を引き込み、非通電状態で図示しない付勢手段の付勢力で伸び出すようになっている。プランジャ２６の伸び出し状態では、アーム１８を図３の矢印Ａ１方向へ回転させ、この結果、切欠部２０を介してフラップ１２の円孔１６に挿嵌された連結軸１７を上方へ移動させるため、フラップ１２を閉じる方向（図３の矢印Ａ２方向）に回転させている。この状態が電動チューリップ１３４の閉止状態である。
【００３１】
ここで、ソレノイド２４を通電すると、プランジャ２６が引き込み、アーム１８を図３の矢印Ｂ１方向へ回転させる。この結果、切欠部２０を介してフラップ１２の円孔１６に挿嵌された連結軸１７が下方へ移動し、フラップ１２を図３の矢印Ｂ２方向へ回転させることができる。この状態が電動チューリップ１３４の開放状態である。
【００３２】
図４はソレノイド２４の内部構造を示している。ソレノイド２４は、電線が巻回されたコイル部２８が配設されている。コイル部２８はその中心に貫通孔３０が設けられている。この貫通孔３０に前記プランジャ２６が挿入されている。
【００３３】
また、貫通孔３０の一端開口部には固定鉄芯部３２が固定されている。この固定鉄芯部３２は、前記コイル部２８の電線が通電されたときに、磁力を持ち、プランジャ２６を吸着する機能を有している。固定鉄芯部３２には、凹陥部３２Ａが形成され、プランジャ２６の引き込み方向先端に形成された面取り部２６Ａを緊密に収容することが可能となっており（図４の想像線参照）、この緊密な収容状態がプランジャ２６の全引き込み位置となる。
【００３４】
ここで、第１の実施の形態では、コイル部２８に形成された貫通孔３０が固定鉄芯部３２が固定された側からプランジャ２６が突出する側にかけて徐々に拡径されたテーパ形状（ｄ１＞ｄ２）となっている。
【００３５】
一方、この貫通孔３０に挿入されたプランジャ２６においても、前記貫通孔３０の内径の変化率と同一の変化率で、外径が変化したテーパ形状（Ｄ１＞Ｄ２）となっている。このプランジャ２６と貫通孔３０とのテーパ形状の径寸法が一致するのは、プランジャ２６が全引き込み状態のとき、すなわち、プランジャ２６の引き込み方向先端面取り部２６Ａが固定鉄芯部３２の凹陥部３２Ａに緊密に収容したときとなっている。
【００３６】
プランジャ２６の全伸び出し状態から、コイル部２８の電線が通電されると、プランジャ２６は、固定鉄芯部３２の磁力によって引き込む方向に移動する。この移動の際、プランジャ２６と貫通孔３０のテーパ形状の径寸法が不一致となっており、互いの間に隙間が生じており、吸引力が有効に作用して、プランジャ２６は円滑に引き込まれ、互いの径寸法が合致した状態で保持される。
【００３７】
このようにプランジャ２６及び貫通孔３０をテーパ形状とすることで、プランジャ２６のストローク（移動）途中の吸引力の妨げとなる噛み込みが防止される。
【００３８】
以下に第１の実施の形態の作用を説明する。
【００３９】
「通常の遊技の流れ」
まず、パチンコ球が発射されると、レール１１２に案内されてゲージ部１１４の釘１１６や風車１１８Ａ乃至Ｄ等に当接しながら、予測し得ない移動をしながら落下していく。ここで、入賞口１２０に入賞すると、予め定められた数のパチンコ球が払い出される（賞球）。また、普通図柄始動入賞口１３０に入賞するとこれを普通図柄入賞センサ１７０で検出する。
【００４０】
この検出により、普通図柄の抽選が開始される。すなわち、乱数カウンタを用いて、所定の確率で０〜９までの数字を抽選する。抽選の結果、外れの場合には、特に遊技状態に変化はない。
【００４１】
一方、抽選の結果、当り（例えば、当り数字の７が抽選される）の場合には、特別図柄始動入賞口１２６に設けられた電動チューリップ１３４を開放状態とするべく、ソレノイド２４（図３参照）へ通電する。これにより、特別図柄始動入賞口にパチンコ球が入り易い、高確率状態とすることができる。
【００４２】
前記特別図柄始動入賞口１２６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、表示部１２４に表示する。この図柄変動パターンにおいては、リーチを経由した当り、外れリーチ、リーチを経由しない外れ等、様々な演出があり、遊技者は期待感をもって抽選結果を待つことができる。
【００４３】
当り時の図柄変動制御が終了すると、予め設定したラウンド数（例えば、１５ラウンド）の大当たり処理が実行される。この大当たり処理中は、大入賞口１２８がほとんど開放状態であるため、遊技者によって有利な状態とすることができる。所定ラウンドの大当たり処理が終了すると、通常の遊技に戻る。
【００４４】
「電動チューリップ１３４の開閉動作」
普通図柄抽選の結果、当たりとなると、ソレノイド２４が通電される。このソレノイド２４への通電により、全伸び出し状態で、フラップ１２を閉止していたプランジャ２６が引き込まれる。このプランジャ２６の引き込みにより、ピン２７を介してアーム１８を図３のＢ１方向に回転させる。
【００４５】
アーム１８が図３のＢ１方向へ回転すると、フラップ１２の円孔１６に挿嵌された連結軸１７を下方へ引き下げ、フラップ１２を図３のＢ２方向へ回転させる。この動作は、単一のソレノイド２４への通電により、一対のフラップ１２が互いに離間する方向へ回動し、所謂チューリップの開放状態となる。
【００４６】
ここで、第１の実施の形態に適用されたソレノイド２４では、コイル部２８に形成した貫通孔３０をプランジャ２６の伸び出し方向に向けて徐々に拡径するテーパ形状とし、プランジャ２６の外径をこの貫通孔３０をテーパ形状とした内径の変化量と同一のテーパ形状とした。
【００４７】
このため、プランジャ２６が伸び出し状態では、図４の実線で示されるように、プランジャ２６の外周と、貫通孔３０の内周との間に隙間が生じており、この状態でコイル部２８への通電がなされ、プランジャ２６が引き込まれると、徐々に前記隙間が狭くなっていき、プランジャ２６の引き込み方向先端面取り部２６Ａが固定鉄芯部３２の凹陥部３２Ａに収容されるときには、互いのテーパ形状部分が案内面となって、貫通孔３０の軸線と、プランジャ２６の軸線とが一致し、確実に全引き込み位置まで円滑に移動する（図４の想像線参照）。
【００４８】
これにより、図７に示すように全引き込み状態よりも若干突出したときの弱い吸引力であっても、確実に強い吸引力の全引き込み位置まで移動し、プランジャ２６が途中で貫通孔３０の内周や、固定鉄芯部３２の一部（凹陥部３２Ａの開口角部）と噛み合って、停止するようなことがない。
【００４９】
プランジャ２６が全伸び出し位置及び全引出し位置との間で確実に移動することにより、特に電動チューリップ１３４の開放時にパチンコ球が入りずらいといった不具合を解消することができる。
【００５０】
以上説明したように第１の実施の形態では、貫通孔３０の内周面と、プランジャ２６の外形と、をそれぞれ同一の径寸法の変化量となるテーパ形状として、プランジャ２６の全引き込み位置で互いの径寸法が一致するようにしたため、コイル部２８への通電でプランジャ２６が引き込まれるとき、全引き込み位置の若干手前で吸引力の弱い位置での移動抵抗力がほとんどなく、円滑に全引き込み位置まで移動し、強い吸引力で保持することができる。
【００５１】
（第２の実施の形態）
以下に本発明の第２の実施の形態について説明する。
【００５２】
なお、この第２の実施の形態において、前記第１の実施の形態と同一構成部部については、同一の符号を付して構成の説明を省略する。
【００５３】
この第２の実施の形態の特徴は、貫通孔３０やプランジャ２６をテーパ形状とすることによる加工作業の煩雑性を解消するものである。
【００５４】
図５及び図６に示される如く、固定鉄芯部３２に形成された凹陥部３２Ａの開口端面（凹陥部３２Ａの開口角部）に対応するように、貫通孔３０の内周面からリング状の突起部３４を形成している。リング状の突起部３４は断面が凹陥部３２Ａの内周面（斜面）と面一となる斜面を有する略三角形状であり、この結果、突起部３４と凹陥部３２Ａとの組み合わせによって貫通孔３０におけるプランジャ２６の引き込み方向先端部が貫通孔３０の内周面から連続的にすり鉢状の傾斜面が形成されることになる。
【００５５】
このような突起部３４を形成することにより、コイル部２８の通電によってプランジャ２６が引き込まれた場合、引き込み方向先端部のプランジャ２６は、突起部３４とこの突起部３４の斜面に連続する凹陥部３２Ａの傾斜面に案内されて、貫通孔３０の軸線と一致する。これにより、プランジャ２６は確実に全引き込み位置よりも若干手前の弱い吸引力でも確実に全引き込み位置まで移動することができる。
【００５６】
「他の可動部材への適用例」
第１の実施の形態では、貫通孔３０の内周面、ならびにプランジャ２６の外周をそれぞれテーパ形状としたソレノイド２４を、第２の実施の形態では、貫通孔３０の内周面にリング状の突起部３４を形成し、固定鉄芯部３２の凹陥部３２Ａの斜面を貫通孔３０の内周まで連続させたソレノイド２４を電動チューリップ１３４を動作させる駆動源として適用したが、このソレノイド２４は、大入賞口１２８を動作するための駆動源や、２種のパチンコ機（所謂羽根もの）に適用される羽根部材を動作するための駆動源としても適用可能である。
【００５７】
【発明の効果】
以上説明した如く本発明では、プランジャにおける全伸び出し位置から全引き込み位置までの全ストロークにおいて、移動を妨げる要素を排除し、吸引力を有効に利用することができるという優れた効果を有する。
【図面の簡単な説明】
【図１】第１の実施の形態に係るパチンコ機の正面図である。
【図２】第１の実施の形態に係るゲージ盤の正面図である。
【図３】第１の実施の形態に係る電動チューリップの駆動機構を示す斜視図である。
【図４】第１の実施の形態に係る電動チューリップに適用されたソレノイドの内部構造図である。
【図５】第２の実施の形態に係るソレノイドの内部構造図である。
【図６】図５のＶＩ−ＶＩ線断面図である。
【図７】プランジャの引き込み方向先端部の形状の違いによる吸引力特性図である。
【符号の説明】
１０　　駆動機構
１２　　フラップ
１４　　回転軸
１６　　円孔
１７　　連結軸
１８　　アーム
１８Ａ　　屈曲部
１８Ｂ　　長孔
２０　　切欠部
２２　　回転軸
２４　　ソレノイド
２６　　プランジャ
２６Ａ　　面取り部
２７　　ピン
２８　　コイル部
３０　　貫通孔
３２　　固定鉄芯部
３２Ａ　　凹陥部
１３４　　電動チューリップ
【図１】
2004024316.tif 000003
【図２】
2004024316.tif 000004
【図３】
2004024316.tif 000005
【図４】
2004024316.tif 000006
【図５】
2004024316.tif 000007
【図６】
2004024316.tif 000008
【図７】
2004024316.tif 000009